(57)【要約】【課題】屎尿の分離効率が高く、また分離した屎と尿とを屎槽或いは尿槽へと導く経路が複雑化することのない屎尿分離便器装置を提供する。【解決手段】便器底部１４の排出口１６を通じて排出される排泄物を受ける、網状部材から成る便受け１８を設け、排泄物中の固形分である屎を便受け１８上に残す一方、液分である尿を便受け１８の孔２２を通じて尿槽２８側に落下させるようにし、且つ便受け１８上に残った屎を便受け１８の回動運動により屎槽２６側に強制的に払い出すようにする。【選択図】        図１
2005304969.tif 000002
【特許請求の範囲】
【請求項１】
便器底部の排出口を通じて排出される排泄物を受ける多孔板から成る便受けを設け、該排泄物中の固形分である屎を該便受け上に残す一方、液分である尿を該便受けの孔を通過させて尿槽側に落下させるようにし、且つ該便受け上に残った屎を払出し機構により屎槽側に払い出すようになしたことを特徴とする屎尿分離便器装置。
【請求項２】
請求項１において、前記便受けが網状部材にて構成してあることを特徴とする屎尿分離便器装置。
【請求項３】
請求項１，２の何れかにおいて、前記便受けが回動可能に設けてあり、該便受けを回動させる回動機構が前記払出し機構を構成していることを特徴とする屎尿分離便器装置。
【請求項４】
請求項３において、前記便受けには、払出し動作以外の通常時に前記屎槽側からの臭気の逆流を防止する蓋体が一体移動する状態に設けてあることを特徴とする屎尿分離便器装置。
【請求項５】
請求項３，４の何れかにおいて、前記便受けには前記孔を通過した尿を前記尿槽側に案内するガイドが一体移動する状態に備えてあることを特徴とする屎尿分離便器装置。
【請求項６】
請求項１，２の何れかにおいて、前記便受けが固定状態に設けてあるとともに、該便受け上を移動して該便受け上に残った前記屎を該便受け上から取り除いて前記屎槽側に払い出す払出し部材が設けてあり、該払出し部材及びその移動機構が前記払出し機構を構成していることを特徴とする屎尿分離便器装置。
【請求項７】
請求項６において、前記払出し部材による払出し動作以外の通常時に、前記屎槽側からの臭気の逆流を防止する蓋体が該払出し部材と一体移動する状態で設けてあることを特徴とする屎尿分離便器装置。
【発明の詳細な説明】
【技術分野】
【０００１】
この発明は排泄物中の固形分である屎と液分である尿とを分離して排出する屎尿分離便器装置に関する。
【背景技術】
【０００２】
下水道設備が整備されていない地域や場所に設置されるトイレ、例えば建築現場や山岳地帯，キャンプ場，公園等に設置されるトイレ、或いは船舶や列車等に設置されるトイレでは、便器の排出口から落下した排泄物を、固形分である屎（大便）及び液分である尿（小便）を一緒に同一の槽内に受けて、それらを一括して溜めるようにしている。
【０００３】
これら排泄物のうち、液分の尿中には植物の養分が多く含有されており、不足の養分を補うことによってそれ自身有用な肥料となる。
一方固形分である屎もまた堆肥化することによって植物の有用な肥料となる。
【０００４】
ところが上記のように下水道設備が整備されていない地域や場所に設置されるトイレでは、固形分である屎と液分である尿（更には洗浄水）が一括して同一槽内に溜められるようになっているため、尿のみを有用な肥料として用いるといったことができないとともに、排泄物を堆肥化するに当ってはそれらを一括して処理しなければならない。
【０００５】
この堆肥化は、排泄物を好気性の微生物によって発酵処理するものであるが、このとき排泄物中に多量の液分が含まれていると良好な好気性条件が得られず、堆肥化が良好に行われない。
そこで便器からの排泄物を屎と尿とに分離するようになしたものが従来種々提案されている。
【０００６】
例えば下記特許文献１には、便器の排出口の下方に傾斜網を設け、排出口を通じて排出される排泄物中の液分である尿をその傾斜網の網目を通過させて下方の尿槽側に落下させ、また固形分である屎については傾斜網の傾斜を利用して屎槽側へと滑落させるようになした点が開示されている。
【０００７】
また下記特許文献２には、便器の排出口の下方に多孔性斜板を傾斜状態に設け、屎が斜板上を滑落する間に屎と尿とに分離するようになした点が開示されている。
この特許文献２では、多孔性斜板として網状部材から成るものを用い得る点が開示されている。
【０００８】
しかしながらこれら特許文献１，特許文献２に開示の屎尿分離便器装置では傾斜網，多孔性斜板が何れも固定状態に設けられており、その傾斜を利用して液分である尿と固形分である屎とを分離するようになしているため、固形分である屎が場合によって傾斜網或いは多孔性斜板上を十分に滑落せずに、一部がその上に残ってしまう恐れがある問題がある。
而してそのようになると傾斜網或いは多孔性斜板上に残った屎からの臭気が直接便器内部、ひいては便室内に充満してしまうといった問題を生ずる。
【０００９】
また屎尿を分離する傾斜網或いは多孔性斜板が固定状態であるため、それら傾斜網，多孔性斜板にて分離された尿及び屎を尿槽及び屎槽側に導くための経路が複雑化してしまうといった問題も生ずる。
【００１０】
【特許文献１】実開平６−１４２８３号公報
【特許文献２】特開２００１−１２８８８６号公報
【発明の開示】
【発明が解決しようとする課題】
【００１１】
本発明は以上のような事情を背景とし、屎尿の分離効率が高いとともに、分離した屎と尿とを屎槽或いは尿槽へと導く経路を複雑化させることのない屎尿分離便器装置を提供することを目的としてなされたものである。
【課題を解決するための手段】
【００１２】
而して請求項１のものは、便器底部の排出口を通じて排出される排泄物を受ける多孔板から成る便受けを設け、該排泄物中の固形分である屎を該便受け上に残す一方、液分である尿を該便受けの孔を通過させて尿槽側に落下させるようにし、且つ該便受け上に残った屎を払出し機構により屎槽側に払い出すようになしたことを特徴とする。
【００１３】
請求項２のものは、請求項１において、前記便受けが網状部材にて構成してあることを特徴とする。
【００１４】
請求項３のものは、請求項１，２の何れかにおいて、前記便受けが回動可能に設けてあり、該便受けを回動させる回動機構が前記払出し機構を構成していることを特徴とする。
【００１５】
請求項４のものは、請求項３において、前記便受けには、払出し動作以外の通常時に前記屎槽側からの臭気の逆流を防止する蓋体が一体移動する状態に設けてあることを特徴とする。
【００１６】
請求項５のものは、請求項３，４の何れかにおいて、前記便受けには前記孔を通過した尿を前記尿槽側に案内するガイドが一体移動する状態に備えてあることを特徴とする。
【００１７】
請求項６のものは、請求項１，２の何れかにおいて、前記便受けが固定状態に設けてあるとともに、該便受け上を移動して該便受け上に残った前記屎を該便受け上から取り除いて前記屎槽側に払い出す払出し部材が設けてあり、該払出し部材及びその移動機構が前記払出し機構を構成していることを特徴とする。
【００１８】
請求項７のものは、請求項６において、前記払出し部材による払出し動作以外の通常時に、前記屎槽側からの臭気の逆流を防止する蓋体が該払出し部材と一体移動する状態で設けてあることを特徴とする。
【発明の作用・効果】
【００１９】
以上のように本発明は、便器底部の排出口を通じて排出される排泄物を多孔板から成る便受けで受けて、固形分である屎を便受け上に残す一方、液分である尿を便受けの孔を通過させて尿槽側に落下させるようにするとともに、便受け上に残った屎を払出し機構にて屎槽側に払い出すようになしたもので、本発明の屎尿分離便器装置では、便受け上の屎を滑落等の自然落下ではなく払出し機構により強制的に便受け上から取り除いて屎槽側に払い出すため、特許文献１，特許文献２に開示の屎尿分離便器装置のように便受け上の屎が一部屎槽側に排出されないでそのまま便受け上に残ってしまうといった問題を生じず、確実にこれを便受け上から取り除いて屎槽側に排出することができる。
従って便受け上の屎が長くそのまま残ってしまって臭気が便器内部、ひいては便室内に充満してしまうといった問題を解決することができる。
【００２０】
また分離した屎と尿とをそれぞれ屎槽側と尿槽側とにそれぞれ導く経路を複雑化させることがなく、これら経路を簡単な構造で構成できる利点が得られる。
【００２１】
本発明において上記便受けを網状部材にて構成しておくのが好都合である（請求項２）。
【００２２】
本発明においては、上記便受けを回動可能に設けておき、その便受けを回動させる回動機構をもって上記払出し機構となすことができる（請求項３）。
このようにしておけば、便受けで受けた固形分の屎を便受けの回動によって円滑に且つ強制的に確実に屎槽側へと払い出すことができる。
【００２３】
この場合においてその便受けには、払出し動作以外の通常時に屎槽側からの臭気の逆流を防止する蓋体を一体移動する状態に設けておくことができる（請求項４）。
このようにすれば、屎槽側と便器内部つまり便室内とをその蓋体にて遮断状態とすることができ、臭気の逆流を防止して便室内に悪臭が漂う問題を解決することができる。
【００２４】
この便受けには孔を通過した尿を尿槽側に案内するガイドを一体移動する状態で備えておくことができる（請求項５）。
このようにしておくことによって、屎と尿とを容易に別々の屎槽と尿槽とに導くことができる。
この場合において上記蓋体にかかるガイドを兼用させるようになしておくことができる。
【００２５】
一方請求項６のものは、便受けを固定状態に設ける一方、払出し部材を含む払出し機構を別途に設けて、その払出し部材の移動により便受け上の屎を強制的に取り除いて屎槽側に払い出すようになしたもので、この請求項６の屎尿分離便器装置においても便受け上の屎を確実に１回ごと除去し得て、便受け上に一部の屎を長く残してしまうといった問題を解決することができる。
【００２６】
この場合においてその払出し部材に上記蓋体を一体移動する状態で設けておくことができる（請求項７）。
【発明を実施するための最良の形態】
【００２７】
次に本発明の実施形態を図面に基づいて詳しく説明する。
図１において、１０は本実施形態の屎尿分離便器装置で、１２は便器、１４は便器底部である。
便器底部１４には排出口１６が設けられており、そこに網状部材にて構成した便受け１８が軸２０回りに回動可能に設けられている。
ここで便受け１８は通常時は排出口１６を閉じた状態にある。
【００２８】
この便受け１８は多数の孔（網目）２２を有しており、これら孔２２を通じて排泄物中の液分である尿を下方に通過させるようになっている。
即ちこの便受け１８は、排泄物中の固形分である屎を便受け１８上に残す一方、液分である尿を多数の孔２２を通過させて下方に落下させるようになっている。
【００２９】
この便受け１８には、その先端側に下向きに延びる湾曲形状の蓋体２４が一体回動する状態で設けられている。
この蓋体２４は、孔２２を通過した尿を後述の尿管３０へと案内するガイドとしての機能も有している。即ち蓋体２４は尿の案内のためのガイドを兼用している。
【００３０】
２６，２８は固形分である屎，液分である尿をそれぞれ内部に貯溜する屎槽，尿槽で、それぞれ屎管２９，尿管３０、更に共通の排出管４４を介して便器１２、詳しくは便器底部１４の排出口１６に連絡されている。
【００３１】
ここで尿管３０にはトラップ３２が設けられており、このトラップ３２によって、尿槽２８側から便器１２内部への臭気の逆流が防止されている。
尚、蓋体２４即ちガイドにて案内された尿は尿管３０における湾曲面３４を経てトラップ３２へと流入する。
【００３２】
３６は操作部材としての足踏ペダルで、軸３８回りに回動可能に設けられている。
この足踏ペダル３６からはロッド状の作用部３７が延び出しており、その先端に操作力伝達用のワイヤ３９の一端が接続固定されている。
ワイヤ３９はガイドローラ４０に巻き掛けられた上、他端が上記便受け１８に接続固定されている。
【００３３】
この実施形態では、足踏ペダル３６を図中下向きに踏み込むと、ワイヤ３９により便受け１８が図中下向きに引っ張られて回動運動する。
また踏込力を解除すると復帰ばね４２の付勢力で便受け１８が元の位置へと復帰する。
尚本実施形態では、軸２０，３８，足踏ペダル３６と作用部３７，ワイヤ３９等が便受け１８の回動機構、即ち便受け１８上の屎の払出し機構を構成している。
【００３４】
上記排出管４４には、便受け１８を１回払出し動作するごとにこれを掃除する掃除機構４６が設けられている。
ここで掃除機構４６は多数の針状突起４８から成っており、便受け１８が図２の（Ｉ）の状態から（II）に示す状態まで回動するごとに、それら多数の針状突起４８が便受け１８の孔２２内に突き刺さって網目、即ち孔２２の掃除を行う。
【００３５】
本実施形態の屎尿分離便器装置１０では、便器底部１４の排出口１６に設けられた便受け１８にて排泄物が受けられる。
そしてその排泄物中の固形分である屎が便受け１８上に残されて、液分である尿が便受け１８の多数の孔２２を通じて下方に落下させられる。
下方に落下した尿は、尿管３０を通じて下方の尿槽２８へと案内されてそこに貯溜される。
【００３６】
このとき（通常時）蓋体２４は屎管２９側を閉鎖した状態にあり、屎槽２６側の臭気が排出口１６を通じて便器１２内部、ひいては便室内へと逆流するのが防止される。
【００３７】
この状態で足踏ペダル３６を足踏操作すると、便受け１８が図２に示しているように軸２０回り反時計方向に回動し、便受け１８上に残っていた固形分である屎を、屎管２９を通じて屎槽２６側へと払い出す。
ここにおいて便受け１８上の屎が便受け１８上から取り除かれて屎槽２６内に収容される。
その後足踏ペダル３６への踏込力を除くと、便受け１８が図１及び図２中時計方向に回動して原位置へと復帰する。
【００３８】
以上のようにして本実施形態の屎尿分離便器装置１０においては、排泄物中の屎と尿とが良好に分離されてそれぞれが屎槽２６と尿槽２８とに貯溜される。
【００３９】
かかる本実施形態の屎尿分離便器装置１０では、便受け１８上に受けた屎を滑落等の自然落下ではなく、払出し機構により強制的に便受け１８上から取り除いて屎槽２６側に落すため、便受け１８上に受けた屎が一部屎槽２６側に排出されないでそのまま便受け１８上に残ってしまう問題を生じず、確実にこれを便受け１８上から取り除いて屎槽２６側に排出することができる。
従って便受け１８上に残されてしまった屎の臭気が便器１２内部、ひいては便室内に発散されてしまう問題を生じない。
【００４０】
また本実施形態によれば、分離した屎と尿とをそれぞれ屎槽２６側と尿槽２８側とに導く経路を複雑化させず、それらを簡単な構造で構成することができる。
【００４１】
更に便受け１８には、払出し動作以外の通常時に屎槽２６側からの臭気の逆流を防止する蓋体２４を一体移動する状態に設けているため、屎槽２６側と便器１２内部つまり便室内とを、その蓋体２４にて遮断状態とすることができ、屎槽２６内の臭気の逆流を防止して便室内に悪臭が漂う問題を解決することができる。
【００４２】
尚この実施形態において、ガイドを兼ねた蓋体２４を省略することも場合によって可能であり、この場合においても便受け１８の孔２２及びその回動運動によって、屎と尿とを良好に分離することが可能である。
【００４３】
またここでは便受け１８が網状部材にて構成してあるが、場合によって金属板等の板に多数の孔を穿孔して、便受け１８を構成するといったことも可能である。
この点は後の実施形態においても同様である。
【００４４】
図３は本発明の他の実施形態を示している。
この実施形態では、排出口１６の下方且つ尿管３０側に網状部材（多孔板）から成る便受け１８が尿管３０を横切る状態で固定状態に設けられており、そしてこの便受け１８と排出口１６との間に、便受け１８上に残った屎を屎管２９側に払い出す払出し部材５０が、軸５２回りに回動可能に設けられている。即ち便受け１８上を移動する払出し部材５０が便受け１８上に設けられている。
【００４５】
図３において、５４は通常時に屎管２９と排出口１６との間を遮断状態に保つ蓋体で、この蓋体５４によって屎槽２６側から便器１２内部への臭気の逆流が防止されるようになっている。
この蓋体５４は、板状の払出し部材５０と平行に設けられていて、それらが連結バー５８によって連結され、それらが各軸５２，５６回りに一体回動させられるようになっている。
【００４６】
図３において、６０は操作部材としてのレバーで、このレバー６０から延び出したアーム６２の先端に、操作力を伝達するためのワイヤ６４の一端が接続固定されている。
ワイヤ６４の他端は蓋体５４に接続固定されており、レバー６０を回転操作すると、ワイヤ６４を介してその操作力が蓋体５４に伝達されて、かかる蓋体５４及びこれに連結バー５８にて連結された払出し部材５０が一体に図３〜図５中反時計方向に回動させられる。
その後操作力を除くと復帰ばね６５によって払出し部材５０及び蓋体５４が一体に時計方向に回動させられて、原位置へと復帰する。
【００４７】
本実施形態において、これら払出し部材５０及び蓋体５４の先端部にはブラシ６６が設けられており、払出し部材５０及び蓋体５４の回動時に、それらブラシ６６が網状部材から成る便受け１８上を摺動して、便受け１８を掃除するようになっている。
【００４８】
本実施形態では、これら払出し部材５０及び蓋体５４の各先端部に設けられたブラシ６６が、便受け１８を掃除する掃除機構７０（図４参照）を構成している。
また払出し部材５０及びこれを移動させる移動機構、即ち蓋体５４，連結バー５８，軸５２，５６，ワイヤ６４，レバー６０等が、便受け１８上の固形分である屎を屎槽２６側に払い出す払出し機構６８を構成している。
【００４９】
次に本実施形態の作用を説明する。
この実施形態では、払出し部材５０及び蓋体５４は通常時は図３及び図５（Ｉ）に示す状態にあり、屎管２９と便器１２の排出口１６とを蓋体５４が実質上遮断した状態にある。
従ってこのとき屎槽２６側の臭気が便器１２内部へと逆流することはない。
【００５０】
この状態で便器１２が使用されると、排泄物が便受け１８上に排出口１６を通じて排出される。
このとき排泄物中の固形分である屎のみが便受け１８上に残り、液分である尿が便受け１８の孔２２を通じて下方に落下する。即ち尿管３０内に落下する。そしてその尿管３０を通じて尿槽２８へと導かれ、そこに貯溜される。
尚用足し後に若干の洗浄水を流しておけば、トラップ３２内に尿が残って臭気逆流の原因となるのを防止できる。
【００５１】
この状態でレバー６０を回転操作すると、その操作力がワイヤ６４を介して蓋体５４及び払出し部材５０に伝えられ、それらが図中反時計方向に回動運動させられて、図５（II）に示す状態となる。
そしてその過程で、便受け１８上に残っていた屎が屎管２９側に払い出され、更にはその屎管２９を通じて屎槽２６内に落下し、そこに貯溜される。
その後レバー６０に加えていた操作力を除くと、復帰ばね６５の付勢力で蓋体５４及び払出し部材５０が原位置へと復帰する。
【００５２】
この実施形態では、それら払出し部材５０及び蓋体５４の先端部にブラシ６６が設けられていて、それら払出し部材５０及び蓋体５４が回動運動する際に、ブラシ６６が便受け１８上を摺動して便受け１８を掃除する。
尚場合によって蓋体５４側のブラシ６６を省略することも可能である。
【００５３】
本実施形態においても、便受け１８上の屎を強制的に取り除いて屎槽２６側に払い出すこと、即ち便受け１８上の屎を確実に１回ごと除去し得て、便受け１８上に一部の屎を長く残してしまう問題を解決することができる。
【００５４】
以上本発明の実施形態を詳述したがこれらはあくまで一例示であり、本発明はその趣旨を逸脱しない範囲において種々変更を加えた形態で構成可能である。
【図面の簡単な説明】
【００５５】
【図１】本発明の一実施形態の屎尿分離便器装置を示す図である。
【図２】同実施形態の作用説明図である。
【図３】本発明の他の実施形態を示す図である。
【図４】図３の払出し機構を示す図である。
【図５】図３，図４の払出し機構の作用説明図である。
【符号の説明】
【００５６】
１０  屎尿分離便器装置
１４  便器底部
１６  排出口
１８  便受け
２０，３８  軸（払出し機構）
２２  孔
２４，５４  蓋体
２６  屎槽
２８  尿槽
３６  足踏ペダル（払出し機構）
３７  作用部（払出し機構）
３９  ワイヤ（払出し機構）
５０  払出し部材
６８  払出し機構
【図１】
2005304969.tif 000003
【図２】
2005304969.tif 000004
【図３】
2005304969.tif 000005
【図４】
2005304969.tif 000006
【図５】
2005304969.tif 000007